(57)【要約】【課題】  親ドアと子ドアが継手を介して互いに折畳み可能に連結された折戸であって、緊急事態が発生した際には親ドアを単独で開くことが出来る折戸装置の提供。【解決手段】  親ドア１と子ドア２が継手３を介して互いに折畳み可能に連結され、子ドア２は枠体の縦桟側に軸支されると共に、間口上部の上レール１１に遊嵌してスライドする吊車１０を設けている。そして親ドア１の上端部にはブラケット１４をネジピン１６を介して連結し、上記吊車１０から下方へ延びる吊ボルト１３の下端を上記ブラケット１４に連結固定している。【選択図】    図４
2006307470.tif 000002
【特許請求の範囲】
【請求項１】
親ドアと子ドアが継手を介して互いに折畳み可能に連結され、子ドアは枠体の縦桟側に軸支されると共に、間口上部の上レールに遊嵌してスライドする吊車などのスライダーを設け、そして親ドアの上端部にはブラケットを着脱自在に取着し、上記スライダーから下方へ延びる吊ボルトの下端を上記ブラケットに連結固定したことを特徴とする折戸装置。
【請求項２】
上記ブラケットを親ドア裏側表面に取付けた請求項１記載の折戸装置。
【請求項３】
上記ブラケットをネジピンを介して親ドア上端部に連結した請求項１、又は請求項２記載の折戸装置。
【請求項４】
上記ブラケットを、該ブラケットに設けた板バネに係止する係止ピンを介して親ドア上端部に取付けた請求項１、又は請求項２記載の折戸装置。
【発明の詳細な説明】
【技術分野】
【０００１】
本発明は親ドアと子ドアを連結して開閉することが出来る折戸であって、緊急時には親ドアを折畳んで開くことが出来るようにした折戸装置に関するものである。
【背景技術】
【０００２】
図７は従来の一般的な折戸の開閉動作を示し、該折戸は親ドア(イ)と子ドア(ロ)から成って互いに折畳み出来るように間には蝶番などの継手が設けられている。そして子ドア(ロ)は吊元側に設けている軸(ハ)に回転自在に取付けられ、親ドア(イ)の上端に設けているスライダーが上レールに沿って移動することが出来、その為に同図に示すような軌跡を伴って開閉することが出来る。
【０００３】
出入り口に装着されて開閉する折戸は開き戸に比較して開閉操作が容易である。特に出入り口の幅が大きな場合、開き戸を装着するならば開き戸の先端持ち手を握って開閉する場合、吊元の軸を中心とする回転半径が大きくなって操作がし難い。これに対して折戸であれば、同図に示すように上レールに沿っての移動である為に比較的操作が簡単となる。
【０００４】
ところで、該折戸の用途は限定しないが、トイレの入口ドアとして利用される場合が多い。折戸は上記のように開閉操作が便利であると共に、折畳んだ場合の開口が大きくなる為に、車椅子に乗った身体障害者にとっては特に便利である。折戸はトイレ内に入ってロックされ、外からは開くことが出来ないのが一般的であり、外から自由に開くことが出来るのではロック装置の意味をなさないが、外からロックを解除して開くことが出来る非常用の解除手段が設けられている。
【０００５】
しかし、折戸をロックしてトイレに入ったところで身体の具合が悪く成ってしまい、該折戸の内側に面して倒れこんでしまった際には、非常用のロック解除手段を用いて解除したとしても、折戸を開くことが出来ない。すなわち、図７に示すように折戸が内側へ張出して折畳むことが出来なくなる。このような緊急事態が発生したときであっても、親ドア(イ)を外側へ回動して開くことが出来るような折戸装置が望まれる。
【０００６】
特開２００１−３２３７１７号に係る「扉緊急開放具及びこれを備えた開閉扉」は、緊急時に迅速に扉を開放可能にすることが出来るように構成している。しかし、この扉とは出入り口一杯に嵌る１枚の大きな扉が回転しながらスライドして開閉することが出来るものであり、該扉はスイングする支持アームに支持されると共に、扉上端には上レールを走行するガイドローラが突出した状態で取着されている。
【０００７】
そこで、緊急時には上記ガイドローラを上レールから離脱することが出来る構造と成っているが、ガイドローラを上レールから外すことで、大きな扉は支持アーム先端の軸を中心として旋回することが出来る。すなわち同公報の図７に示すように回転して間口を開くことが出来る。しかし、同図から明らかなごとく、扉の大半は外側へ張出して旋回するが、約１／３の扉は内側に旋回する。従って、人がこの場所に倒れたり、車椅子が位置している場合には、ガイドローラを上レールから離脱しても該扉を開くことが出来ない事態が発生する。
【０００８】
勿論、上記折戸や回転スライドドアのように回転しながら開閉する構造と成っていない引戸であれば何ら問題はない。引戸は上レールに吊設されてスライド開閉することが出来る構造であり、引戸にもたれ掛かって倒れている場合であっても、該引戸を開くことが可能である。しかし、該引戸を取付けるには、間口に相当する大きさの戸袋が必要と成り、該戸袋空間を設けることが出来ない場所には適していない。特に、複数のトイレを配列して設置する場合であれば、引戸を開いた際に収納する戸袋を設けることは出来ない。
【特許文献１】特開２００１−３２３７１７号に係る「扉緊急開放具及びこれを備えた開閉扉」
【発明の開示】
【発明が解決しようとする課題】
【０００９】
このように、従来の折戸装置には上記のごとき問題がある。本発明が解決しようとする課題はこれら問題点であり、体調不良で折戸にもたれ掛かって倒れるなどの緊急事態が発生した場合に、該折戸の親ドアを外から開くことが出来るようにした折戸装置を提供する。
【課題を解決するための手段】
【００１０】
本発明の折戸装置は親ドアと子ドアとで構成し、子ドアは吊元側に継手を介して取付けられ、親ドアは継手を介して子ドアと折畳み可能に連結されている。すなわち、折戸としての基本構造は従来と同じである。そして、親ドアの上端にはスライダーが上方へ突出して設けられ、このスライダーは間口上部の上レールにスライド可能に遊嵌している。
【００１１】
従って、親ドアは上レールに沿って回転しながら移動し、子ドアは吊元継手を中心として回転することで折戸は折畳まれる。ここで、上記スライダーとして上レールを走行する吊車を取着することもあるが、子ドアには戸当りが取着されている為に、内側へ張出して折畳まれる。ところで、本発明では上記スライダーを親ドアから分離可能な構造としている。従って、スライダーから切り離された親ドアは子ドアとの継手を中心として回動することが出来、親ドアが単独で外側へ張出して折畳まれる。
【００１２】
上記親ドアの上端部にはブラケットが着脱可能な状態で取付けられ、スライダーから下方へ延びる吊ボルトは上記ブラケットに連結・固定している。ブラケットはピンを介して親ドア上端部に取着されているが、該ピンを抜くことでブラケットは親ドアから取外されて分離する。従って、該親ドアは単独で開くことが可能と成る。ここで、親ドアにブラケットを取付けるピンの形態は特に限定せず、ネジピンや係止ピンが用いられ、又ブラケットの取付け位置及び取付け形態に関しても自由である。
【発明の効果】
【００１３】
本発明の折戸は親ドアが単独で折畳む（開く）ことが出来る構造と成っている。すなわち、親ドアはその上端部に取着されているブラケットと分離可能な構造と成っている為に、該親ドアは上レールから離れて単独で折畳まれる。しかも、親ドアの折畳み動作において内側へ張出す部分は何もなく、折戸の内側に面して人が倒れた場合であっても、親ドアの回転に伴う障害物が無い為に迅速に助け出すことが可能と成る。そして、該親ドアとブラケットはピンを介して連結されている為に、ピンを抜くだけで親ドアを迅速に開くことが出来る。
【実施例】
【００１４】
図１は本発明の折戸を示す正面図であり、該折戸は親ドア１と子ドア２から成って互いに折畳み出来るように間には継手が設けられている。そして子ドア２は吊元側に設けている軸に回転自在に取付けられ、親ドア１の上端に設けている吊車(スライダー)は上レールに沿って移動することが出来、その為に該親ドア１と子ドア２が互いに回動して間口を開閉することが出来る。
【００１５】
図２は本発明の折戸装置の平面図であり、折戸が伸長して間口を閉じている場合を表している。そして、点線は折戸が折畳まれて間口が開口している場合である。親ドア１と子ドア２は継手３を介して折畳み出来るように連結され、子ドア２は間口(入口)に嵌った枠体の縦桟５に設けている軸４に軸支されている。そして、親ドア１の先端側と継手側には開閉操作用のハンドル６，６が取付けられ、親ドア１の内側にはロックツマミ７を有している。
【００１６】
そこで、折戸が伸長したところでロックツマミ７を廻してロックすることが出来、外からは開くことが出来ないようになる。しかし、親ドア１の表側には該ロックツマミ７を回転する為の小さな溝穴８を設けている。従って、該溝穴８に工具を嵌めて回転するならば、上記ロックツマミ７が回転してロックが解除される。このように、該折戸装置は異常事態が発生したときには、外からロックが解除される構造と成っている。
【００１７】
しかし、ロックを解除して折戸を折畳み開口するには、前記図７に示すように親ドア(イ)及び子ドア(ロ)は内側へ張出すことが必要であり、継手部付近に人がもたれ掛かっている場合には、外からロックを解除しても折戸を折畳んで開くことは出来ない。そこで、本発明では図３に示すように継手３を中心として回転することで親ドア１を単独で外側へ折畳むことが出来る構造としている。この場合、子ドア２には戸当り９が取着されている為に外側へ張出して開くことは出来ず、親ドア１だけが回転して間口を開くことが出来る。
【００１８】
図３は本発明に係る折戸の親ドア１を開く場合を示しているが、このように親ドア１は内側ではなく、外側へ旋回して開くことが出来、折戸に凭れ掛かって人が倒れた場合であっても、該親ドア１を開いて助けることが出来る。ところで、該親ドア１を外側へ旋回させるためには、吊車と切り離すことが必要であり、本発明では吊車から親ドア１を分離する構造と成っている。
【００１９】
図４は親ドア１と吊車１０との連結構造を表している。吊車１０は間口に嵌った枠体の上桟１２に取付けられている上レール１１に載って移動することが出来る。そして吊車１０から下方へ延びる吊ボルト１３の下端にはブラケット１４が連結・固定されている。すなわち、ブラケット１４に設けたネジ穴に吊ボルト１３のネジ部が螺合すると共に、弛まないように固定ナット１５にて締結されている。
【００２０】
そしてブラケット１４は親ドア１の裏表面上端部に当接し、表側から挿入したネジピン１６が該ブラケット１４の接合面に設けたネジ穴に螺合して連結している。すなわち、親ドア１と吊車１０はブラケット１４を介して連結された構造と成っている。図５は２本のネジピン１６，１６を締め付けてブラケット１４と連結した親ドア１の表面上端部を表している。表面には座金として機能する長方形のプレート１７が設けられ、該プレート１７を介在してネジピン１６，１６は挿通し、親ドア１とブラケット１４を連結している。
【００２１】
ところで、２本のネジピン１６，１６を弛めて取外すならば、親ドア１はブラケット１４と分離し、その結果、親ドア１は前記図３に示すように外側へ回転して折畳むことが出来る。緊急事態が発生した際に、即座にネジピン１６，１６を取外すことが出来るように、ブラケット１４のネジ穴に螺合するネジ部の長さを必要最小範囲としている。
【００２２】
上記ネジピン１６は親ドア１とブラケット１４を連結する為の１手段であり、他の連結部材を使用することも出来る。図６は親ドア１とブラケット１４の他の連結構造を表しているが、この実施例では係止ピン１８，１８が使用されている。ブラケット１４には凹部１９，１９が設けられ、該凹部１９，１９の底には板バネ２０，２０をネジ止めしている。
【００２３】
板バネ２０は複数本のアーム２１，２１・・が筒状を成して形成され、係止ピン１８の先端を抱き込んでいる。係止ピン１８の先端には窪み２２が形成され、アーム先端部は該窪み２２に係合している。係止ピン１８を親ドア１の表面側から挿入するならば、板バネ２０のアーム２１，２１・・を押し開いて該アーム先端部が窪み２２に係合することが出来る。
【００２４】
板バネ２０の各アーム２１，２１・・は滑らかに湾曲している為に、係止ピン１８を挿入することで押し開かれて係合することが出来る。そして、アーム２１，２１・・にはバネ性が備わっている為に、所定のバネ力を付勢して係止ピン１８を拘束することが出来る。前記図４、図６に示した実施例では、ブラケット１４は共に親ドア１の裏面側上端部に取付けているが、該親ドア１の上端部に凹部を形成し、該凹部にブラケット１４を嵌めた状態で固定することも可能である。
【図面の簡単な説明】
【００２５】
【図１】折戸装置の正面図。
【図２】本発明の折戸装置の横断面図。
【図３】折戸の親ドアを単独で開く場合。
【図４】親ドアと吊車の連結構造。
【図５】２本のネジピンを締め付けてブラケットと連結した親ドアの表面上端部。
【図６】係止ピンを用いた親ドアとブラケットの連結構造。
【図７】折戸の開閉操作。
【符号の説明】
【００２６】
１  親ドア
２  子ドア
３  継手
４  軸
５  縦桟
６  ハンドル
７  ロックツマミ
８  溝穴
９  戸当り
10  吊車
11  上レール
12  上桟
13  吊ボルト
14  ブラケット
15  固定ナット
16  ネジピン
17  プレート
18  係止ピン
19  凹部
20  板バネ
21  アーム
22  窪み
【図１】
2006307470.tif 000003
【図２】
2006307470.tif 000004
【図３】
2006307470.tif 000005
【図４】
2006307470.tif 000006
【図５】
2006307470.tif 000007
【図６】
2006307470.tif 000008
【図７】
2006307470.tif 000009